(57)【要約】【課題】部屋にいる人物を監視カメラによる撮影を介して確実に検出する。【解決手段】居室者監視システム１０では、居室者検出部１３２によって検出された人物の数が、人物検出部１３３によって検出可能な最大人数に達しているときに、新たに部屋２００への入室希望者についてＩＤ認証を更に行った場合、入退室管理部１３１は、当該入室希望者の優先度と、居室者検出部１３２によって管理されている全人物の優先度を比較し、(i)入室希望者の優先度が全人物の優先度よりも低ければ、入室希望者が部屋２００に入室することを許可せず、(ii)入室希望者の優先度よりも全人物のいずれかの優先度が低ければ、優先度が低い人物に対して部屋２００からの退室を要請する退室要請処理を実行する。【選択図】図１
2019133436.tif 000002
【特許請求の範囲】
【請求項１】
各人物のＩＤ情報を記憶する人物データ記憶部と、
部屋の入り口に設置され、人物の前記部屋への入室時及び退室時に当該人物が所有するＩＤ記憶媒体からＩＤ情報を取得する情報取得部と、
前記人物データ記憶部に記憶されている前記ＩＤ情報と、前記情報取得部が前記ＩＤ記憶媒体から取得したＩＤ情報とを比較してＩＤ認証を行い、ＩＤ認証の結果に基づいて、前記部屋への入退室の許可及び不許可を判断する入退室管理部と、
前記入退室管理部による前記各人物についての前記部屋への入退室許可の結果に基づいて、当該ＩＤ認証時点で前記部屋に存在する人物及び当該人物の数を検出する居室者検出部と、
前記部屋に設置されて前記部屋の内部を撮影する単数又は複数の監視カメラと、
前記単数又は複数の監視カメラが撮影した撮影画像を解析して前記撮影画像に写った人物を検出する人物検出部とを備え、
前記入退室管理部は、前記各人物について予め定められている、前記部屋における在室が許可されるそれぞれの優先度を記憶しており、
前記居室者検出部によって検出された人物の数が、前記人物検出部によって検出可能な予め定められた最大人数に達しているときに、新たに前記部屋に入室しようとする入室希望者についてのＩＤ認証を更に行った場合、前記入退室管理部は、当該入室希望者の優先度と、前記居室者検出部によって管理されている全人物の優先度を比較し、(i)当該入室希望者の優先度が当該全人物の優先度よりも低ければ、当該入室希望者が前記部屋に入室することを許可せず、(ii)当該入室希望者の優先度よりも当該全人物のいずれかの優先度が低ければ、当該優先度が低い人物に対して前記部屋からの退室を要請する退室要請処理を実行する居室者監視システム。
【請求項２】
前記人物データ記憶部に前記各人物の役職が記憶されており、
前記入退室管理部は、前記人物データ記憶部に記憶されている前記役職に基づいて各人物の前記優先度を決定して記憶する請求項１に記載の居室者監視システム。
【請求項３】
前記人物データ記憶部に、前記各人物について、前記部屋での滞在が拒否されない人物か否かの滞在可否情報が登録されており、
前記入退室管理部は、前記滞在可否情報により滞在が拒否されないことが示される人物に対しては、前記優先度に拘わらず、前記部屋への入室を許可する、又は前記退室要請処理を実行しない請求項２に記載の居室者監視システム。
【請求項４】
前記入退室管理部は、前記入室を許可している人物の数が、前記人物検出部によって検出可能な前記最大人数を下回った場合、前記入室を許可しなかった人物、又は、前記退室要請処理の対象とされた人物に対して、前記部屋への入室を許可する旨を通知するための通知処理を実行する請求項１乃至請求項３のいずれかに記載の居室者監視システム。
【請求項５】
前記入退室管理部は、ある人物について前記部屋への入室を許可した後に、前記人物検出部により検出された人物の数が、前記居室者検出部によって検出された人物の数を上回った場合、前記入室を許可した人物に対して前記部屋に一緒に入室した者の監視を要請するための監視要請処理を実行する請求項１乃至請求項４のいずれかに記載の居室者監視システム。
【請求項６】
前記入退室管理部は、前記人物検出部によって検出された人物についてのＩＤ情報が前記人物データ記憶部に記憶されていない場合には、前記入室を許可している人物の数を予め定められた数だけ加算した上で、前記人物検出部によって検出可能な前記最大人数に達しているか否かを判断する請求項１乃至請求項５のいずれかに記載の居室者監視システム。
【請求項７】
前記入退室管理部は、前記入室を許可している人物に、前記役職が予め定められたレベル以上である人物が存在する場合、当該人物については前記入室を許可した人物として加算せずに、前記人物検出部によって検出可能な前記最大人数に達しているか否かを判断する請求項１乃至請求項６のいずれかに記載の居室者監視システム。
【発明の詳細な説明】
【技術分野】
【０００１】
本発明は、居室者監視システムに関し、特に、部屋にいる人物を監視する技術に関する。
【背景技術】
【０００２】
近年、カメラを使った入退室管理が行われている。例えば、下記特許文献１に、入退室管理エリアの室外側と室内側にそれぞれ設けられたカメラ、カードリーダー、テンキーと、入退室管理エリアのゲートの電気錠がコントローラに接続され、上記コントローラが、各利用者のカードのカード情報を格納した記憶手段と、カードリーダーで読み取った情報と記憶手段のカード情報との照合によりカード認証を行うカード認証手段と、テンキーに入力される入室者又は退室者の人数とカメラの映像から得られる入室者又は退室者の人数との照合結果に基づき電気錠の施解錠制御を行う施解錠制御手段と、施解錠制御手段で照合が一致した場合に、在室総人数に入室者又は退室者の人数を加減算して更新する在室総人数演算手段と、を備えた入退室管理システムが開示されている。
【先行技術文献】
【特許文献】
【０００３】
【特許文献１】特開２００７−２３１５７１号公報
【発明の概要】
【発明が解決しようとする課題】
【０００４】
上記特許文献１に記載の入退室管理システムでは、カメラで撮った映像の情報を利用して入退室管理エリア内の在室総人数を常に正確に把握でき、在室可能最大人数を超えた場合に入室を禁止する。このとき、入退室管理エリア内に在室している各人物の行動を監視するには、カメラで各人物を撮影する必要があるが、設置しているカメラの台数に対して入退室管理エリア内の人物の数が多い場合には、カメラで各人物を撮影しきれなくなり、セキュリティーの確実性が下がるという問題がある。
【０００５】
本発明は、上記の事情に鑑みなされたものであり、部屋にいる人物を監視カメラによる撮影を介して確実に検出することを目的とする。
【課題を解決するための手段】
【０００６】
本発明の一局面に係る居室者監視システムは、各人物のＩＤ情報を記憶する人物データ記憶部と、部屋の入り口に設置され、人物の前記部屋への入室時及び退室時に当該人物が所有するＩＤ記憶媒体からＩＤ情報を取得する情報取得部と、前記人物データ記憶部に記憶されている前記ＩＤ情報と、前記情報取得部が前記ＩＤ記憶媒体から取得したＩＤ情報とを比較してＩＤ認証を行い、ＩＤ認証の結果に基づいて、前記部屋への入退室の許可及び不許可を判断する入退室管理部と、前記入退室管理部による前記各人物についての前記部屋への入退室許可の結果に基づいて、当該ＩＤ認証時点で前記部屋に存在する人物及び当該人物の数を検出する居室者検出部と、前記部屋に設置されて前記部屋の内部を撮影する単数又は複数の監視カメラと、前記単数又は複数の監視カメラが撮影した撮影画像を解析して前記撮影画像に写った人物を検出する人物検出部とを備え、前記入退室管理部は、前記各人物について予め定められている、前記部屋における在室が許可されるそれぞれの優先度を記憶しており、前記居室者検出部によって検出された人物の数が、前記人物検出部によって検出可能な予め定められた最大人数に達しているときに、新たに前記部屋に入室しようとする入室希望者についてのＩＤ認証を更に行った場合、前記入退室管理部は、当該入室希望者の優先度と、前記居室者検出部によって管理されている全人物の優先度を比較し、(i)当該入室希望者の優先度が当該全人物の優先度よりも低ければ、当該入室希望者が前記部屋に入室することを許可せず、(ii)当該入室希望者の優先度よりも当該全人物のいずれかの優先度が低ければ、当該優先度が低い人物に対して前記部屋からの退室を要請する退室要請処理を実行するものである。
【発明の効果】
【０００７】
本発明によれば、部屋にいる人物を監視カメラによる撮影を介して確実に検出することができる。
【図面の簡単な説明】
【０００８】
【図１】本発明の一実施形態に係る居室者監視システムの概略構成図である。
【図２】サーバーの主要部のブロック図である。
【図３】本発明の一実施形態に係る居室者監視システムによる居室者監視処理の第１実施形態を示すフローチャートである。
【図４】本発明の一実施形態に係る居室者監視システムによる居室者監視処理の第２実施形態を示すフローチャートである。
【図５】本発明の一実施形態に係る居室者監視システムによる居室者監視処理の第３実施形態を示すフローチャートである。
【発明を実施するための形態】
【０００９】
以下、本発明の一実施形態に係る居室者監視システムについて図面を参照して説明する。
【００１０】
図１は、本発明の一実施形態に係る居室者監視システムの概略構成図である。本発明の一実施形態に係る居室者監視システム１０は、監視カメラ１１と、ＩＤカードリーダー装置１２と、サーバー１３と、人物データ記憶部１４とを備える。
【００１１】
監視カメラ１１は、複数設けられている。監視カメラ１１は、部屋２００内を隈なく撮影できる部屋２００内の位置にそれぞれ設置されている。これら監視カメラ１１はサーバー１３と接続されており、各監視カメラ１１はその撮像画像をサーバー１３に送信する機能を有する。
【００１２】
ＩＤカードリーダー装置（特許請求の範囲における情報取得部の一例）１２は、部屋２００に入室する人物及び部屋２００から退室する人物が所有するＩＤカード（ＩＤ記憶媒体の一例）を読み取る。ＩＤカードは、例えば、各種情報を記憶可能なＩＣチップを内蔵している。例えば、部屋２００に入室する者及び部屋２００から退室する者は、自分のＩＤカードを当該ＩＤカードリーダー装置１２にかざす。このとき、ＩＤカードリーダー装置１２は、上記ＩＣチップに記憶されているＩＤ情報を読み取る。ＩＤカードリーダー装置１２は、読み取ったＩＤ情報をサーバー１３に送信する機能を有する。
【００１３】
ＩＤカードリーダー装置１２は、部屋２００の出入り口近傍に設置され、部屋２００の外側及び内部側の両方においてＩＤカードの読み取りが可能な機構を有する。ＩＤカードリーダー装置１２は、部屋２００の外側の機構によりＩＤカードのＩＣチップからＩＤ情報を読み取ったときは、当該ＩＤ情報を部屋２００への入室希望者のものとしてサーバー１３に送信する。ＩＤカードリーダー装置１２は、部屋２００の内部側の機構によりＩＤカードのＩＣチップからＩＤ情報を読み取ったときは、当該ＩＤ情報を部屋２００からの退室希望者のものとしてサーバー１３に送信する。
【００１４】
ＩＤカードリーダー装置１２は、各人物のＩＤ情報を管理する人物データ記憶部１４及びサーバー１３に接続されている。ＩＤカードリーダー装置１２は、ＩＤカードリーダーが読み取った情報をサーバー１３に送信する機能を有する。
【００１５】
なお、本実施形態では、特許請求の範囲における情報取得部を、ＩＤカードリーダー装置１２を例にして説明しているが、情報取得部は、顔認証に用いられる撮像装置、又は指紋認証に用いられる指紋読取装置等であってもよい。この場合、撮像装置及び指紋読取装置は、取得した画像をサーバー１３に送信する機能を有し、撮像装置が撮像した撮像画像（人物の顔を示す顔画像を含む）、又は指紋読取装置が読み取った指紋を示す画像は、上記ＩＤ情報として、撮像装置及び指紋読取装置からサーバー１３に送信される。
【００１６】
人物データ記憶部１４は、例えば、各人物の身元情報を記憶したデータベースからなる。例えば、人物データ記憶部１４が社内の人事管理用データベースである場合、人物データ記憶部１４は、各人物について、身元情報として、ＩＤ情報、名前、生年月日、入社年月日、所属部署、役職、内線番号などを記憶する。人物データ記憶部１４は、データの送受信が可能にサーバー１３に接続されている。
【００１７】
次に、サーバー１３を説明する。図２は、サーバー１３の主要部のブロック図である。サーバー１３は、制御ユニット１００、操作部２２０、記憶部２３０、および通信部２４０を備えている。操作部２２０は、マウス、キーボードなどの入力装置である。記憶部２３０は、ＨＤＤやフラッシュメモリなどの記憶装置である。通信部２４０は、ＬＡＮチップなどの通信モジュールを備える通信インターフェイスである。通信部２４０は、ＬＡＮ又はインターネットのネットワークを介して、監視カメラ１１、ＩＤカードリーダー装置１２、及び人物データ記憶部１４とデータ送受信可能に接続されている。
【００１８】
制御ユニット１００は、プロセッサー、ＲＡＭ、ＲＯＭ、および専用のハードウェア回路を含んで構成される。制御ユニット１００は、記憶部２３０に記憶されているプログラムに従った上記プロセッサーによる動作により、制御部１３０、入退室管理部１３１、居室者検出部１３２、及び人物検出部１３３として機能する。但し、上記の制御部１３０、入退室管理部１３１、居室者検出部１３２、及び人物検出部１３３は、制御ユニット１００によるプログラムに従った動作によらず、それぞれハードウェア回路により構成してもよい。
【００１９】
制御部１３０は、サーバー１３の全体的な動作制御を司る。
【００２０】
入退室管理部１３１は、人物データ記憶部１４に記憶されている上記ＩＤ情報と、ＩＤカードリーダー装置１２から受け取ったＩＤ情報とを比較するＩＤ認証を行い、当該ＩＤ認証の結果に基づいて、当該受け取ったＩＤ情報の示す人物が、予め承認された人物であるか否かを判断する。入退室管理部１３１は、上記ＩＤ認証により、人物データ記憶部１４に記憶されている上記ＩＤ情報と、ＩＤカードリーダー装置１２から受け取ったＩＤ情報とが一致すると判断した場合に、受け取ったＩＤ情報の示す人物が、予め承認された人物であると判断し、これらが一致しない場合には、当該受け取ったＩＤ情報の示す人物が、予め承認された人物ではないと判断する。
【００２１】
なお、情報取得部が撮像装置の場合、人物データ記憶部１４は、上記ＩＤ情報の一部として、予め承認されている人物についてその顔を示す顔画像を更に記憶している。入退室管理部１３１は、撮像装置から受け取ったＩＤ情報としての上記撮像画像に含まれる顔画像が、人物データ記憶部１４に記憶されている上記ＩＤ情報に含まれる顔画像に一致する場合に、受け取ったＩＤ情報の示す人物が、予め承認された人物であると判断し、これらが一致しない場合には、当該受け取ったＩＤ情報の示す人物が、予め承認された人物ではないと判断する。
【００２２】
また、情報取得部が指紋読取装置の場合、人物データ記憶部１４は、上記ＩＤ情報の一部として、予め承認されている人物についてその指紋を示す指紋画像を更に記憶している。入退室管理部１３１は、撮像装置から受け取ったＩＤ情報としての上記撮像画像に含まれる指紋画像が、人物データ記憶部１４に記憶されている上記ＩＤ情報に含まれる指紋画像に一致する場合に、受け取ったＩＤ情報の示す人物が、予め承認された人物であると判断し、これらが一致しない場合には、当該受け取ったＩＤ情報の示す人物が、予め承認された人物ではないと判断する。
【００２３】
なお、入退室管理部１３１は、この判断を退室希望者について行う場合、上記受け取ったＩＤ情報と、人物データ記憶部１４に記憶されている上記ＩＤ情報とが一致すると判断した場合に、当該受け取ったＩＤ情報の示す人物について退室を許可し、一致しない場合は当該受け取ったＩＤ情報の示す人物について退室を許可しない。なお、入退室管理部１３１は、管理対象とする各人物（すなわち、入室が許可されて退室が許可されていない者）を、各人物について個別に付されたＩＤ情報により記憶している。
【００２４】
居室者検出部１３２は、入退室管理部１３１による各人物についての部屋２００への入退室許可の結果に基づいて、最後にＩＤ認証が行われた時点で部屋２００に存在する人物及び当該人物の数を検出する。例えば、居室者検出部１３２は、入退室管理部１３１により部屋２００への入室のみが許可されて未だ退室が許可されていない状態の人物は部屋２００に存在する人物と特定して記憶し、入退室管理部１３１により部屋２００への入室及び退室が許可された人物は部屋２００に存在する人物としては記憶しない。
【００２５】
また、例えば、居室者検出部１３２は、居室者検出部１３２により管理対象とされている全人物の人数、又は、最後にＩＤ認証が行われた時点で、入退室管理部１３１により入室が許可されている人数の総計から、入退室管理部１３１により退室が許可された人数を差し引いた人数を、部屋２００に存在する人物の人数として検出する。
【００２６】
人物検出部１３３は、複数の監視カメラ１１から送られてきたそれぞれの撮影画像を解析して撮影画像に写った各人物を検出する。例えば、人物検出部１３３は、既知の人物検出技術により、上記撮像画像の中から人物像を検出する。例えば、人物検出部１３３は、該画像の中から物体の輪郭などを抽出して、この抽出した輪郭が、予め定められた人物像が示す輪郭に一致するか否かを判定し、当該輪郭に一致すると判定したときに、当該物体を人物として検出する。人物検出部１３３は、上記撮像画像に複数の物体が含まれている場合は、これら複数の物体が人物であるか否かの上記判定を行って、複数の人物を検出する。例えば、人物検出部１３３は、検出した複数の人物を区別するために、各人物に識別番号を割り振ることにより各人物を特定する。
【００２７】
また、入退室管理部１３１は、居室者検出部１３２によって検出された人物の数が、前記人物検出部によって検出可能な予め定められた最大人数に達している状態で、新たに部屋２００に入室しようとする入室希望者についてのＩＤ認証を更に行った場合、当該入室希望者の優先度と、居室者検出部１３２により管理対象とされている全人物の優先度を比較し、(i)当該入室希望者の優先度が当該全人物の優先度よりも低ければ、当該入室希望者が部屋２００に入室することを許可せず、(ii)当該入室希望者の優先度よりも当該全人物のいずれかの優先度が低ければ、当該優先度が低い人物に対して部屋２００からの退室を要請する退室要請処理を実行する。なお、優先度とは、管理対象とする各人物について予め定められている、他者よりも部屋２００における在室が優先して許可されるそれぞれの度合いを示すものであり、入退室管理部１３１が記憶している。
【００２８】
人物検出部１３３が上記人物を検出可能な数には上限がある。監視カメラ１１から提供される撮像画像に写った人物の数（すなわち、人物検出部１３３が一定時間内に上記検出を行う回数）がこの上限を超えると、人物検出部１３３は、撮像画像中の各人物を正しく検出できない。
【００２９】
このため、入退室管理部１３１は、上記のように、人物検出部１３３によって検出可能な最大人数を超えて部屋２００に人物が入室しそうな場合には、入室不許可又は退室要請の処理を実行する。これらの処理は、居室者監視処理として以下に詳細を説明する。
【００３０】
次に、居室者監視システム１０の動作について説明する。図３は、居室者監視システム１０による居室者監視処理の第１実施形態を示すフローチャートである。
【００３１】
部屋２００への入室希望者がＩＤカードリーダー装置１２に自分のＩＤカードをかざすと、ＩＤカードリーダー装置１２が、当該ＩＤカードのＩＣチップからＩＤ情報を読み取る。ＩＤカードリーダー装置１２は、読み取ったＩＤ情報をサーバー１３に対して送信する。
【００３２】
サーバー１３の入退室管理部１３１は、ＩＤカードリーダー装置１２から送信されてきた上記ＩＤ情報が、人物データ記憶部１４に記憶されているいずれかのＩＤ情報に一致するかを判断することにより、上記入室希望者のＩＤ認証を行う（Ｓ１）。
【００３３】
入退室管理部１３１は、当該ＩＤ認証により、人物データ記憶部１４に記憶されている上記ＩＤ情報と、ＩＤカードリーダー装置１２から送信されてきた上記ＩＤ情報とが一致する場合は、上記ＩＤ情報の示す人物（上記入室希望者）が予め承認された人物であると判断する（Ｓ２でＹＥＳ）。また、入退室管理部１３１は、これらが一致しない場合には、当該ＩＤ情報の示す人物が予め承認された人物ではないと判断して（Ｓ２でＮＯ）、部屋２００への入室を許可することなく処理を終了する。
【００３４】
このとき、入退室管理部１３１は、図１に示す入室ゲート１０２を開かない制御を行うことで、今回の入室希望者の入室を規制してもよい。また、このとき、入退室管理部１３１は、当該入室ゲート１０２近くに設置されている表示装置１０３に、入室不許可とされた旨のメッセージを表示させるようにしてもよい。このような制御を行う場合、入室ゲート１０２は、自動施錠開閉機構を備え、サーバー１３と接続され、入退室管理部１３１からの指示に従って、自動施錠開閉機構により施錠の開閉を行うものとする。また、表示装置１０３は、サーバー１３と接続され、入退室管理部１３１からの指示に従った内容で表示画面を表示するものとする。
【００３５】
なお、Ｓ２でＮＯの場合、入退室管理部１３１は、部屋２００への入室を許可しない処理に代えて、入室を許可することとし、更に、ＩＤカードリーダー装置１２に備えられているスピーカーに、入室を控える旨のメッセージを発声させるようにしてもよい。このような制御を行う場合、当該スピーカーはサーバー１３と接続され、入退室管理部１３１からの指示に従って、各種のメッセージを発声するものとする。
【００３６】
或いは、入退室管理部１３１が、今回の入室希望者が所有する携帯端末装置に対して、通信部２４０の有する電子メール発信機能により、入室を控える旨を示すメッセージを含む電子メールを送信する処理を行う、又は、上記表示装置１０３に、入室不許可とされた旨のメッセージを表示させるようにしてもよい。この場合、人物データ記憶部１４に、ＩＤ別に各電子メールアドレスが記憶されており、入退室管理部１３１が人物データ記憶部１４にアクセスして、今回の入室希望者についてのＩＤに対応付けて記憶されている電子メールアドレスを読み出し、上記電子メール送信処理に用いる。
【００３７】
入退室管理部１３１は、上記のように、上記ＩＤ情報の示す人物（上記入室希望者）について、予め承認された人物であると判断した場合（Ｓ２でＹＥＳ）、Ｓ１でＩＤ認証を行った時点で居室者検出部１３２によって検出されている人物の数が、人物検出部１３３によって検出可能な予め定められた上記最大人数に達しているか否かを判断する（Ｓ３）。入退室管理部１３１は、Ｓ１でＩＤ認証を行った時点で入室を許可している人物の数が、人物検出部１３３によって検出可能な予め定められた上記最大人数に達していないと判断した場合は（Ｓ３でＮＯ）、当該ＩＤ情報の示す人物について、部屋２００への入室を許可する（Ｓ４）。なお、部屋２００の内部は、各監視カメラ１１により撮影がされており、この撮影画像に基づいて、人物検出部１３３が、部屋２００に入室した各人物を検出している。
【００３８】
一方、入退室管理部１３１が、Ｓ１でＩＤ認証を行った時点で居室者検出部１３２によって検出されている人物の数が、人物検出部１３３によって検出可能な予め定められた上記最大人数に達していると判断した場合は（Ｓ３でＹＥＳ）、入退室管理部１３１は、人物データ記憶部１４にアクセスして、上記ＩＤ情報の示す人物についての役職と、部屋２００内に存在する各人物（のＩＤ情報）についての役職を取得する（Ｓ５）。そして、入退室管理部１３１は、当該取得した役職に基づいて、例えば、役職社長＝優先度最高、役職部長＝優先度高、役職管理者＝優先度中、役職無し＝優先度低として、各人物の優先度を決定する。
【００３９】
そして、入退室管理部１３１は、上記ＩＤ情報の示す今回の入室希望者の優先度と、部屋２００にいる各人物の優先度とを比較する（Ｓ６）。この結果、入退室管理部１３１が、部屋２００にいる全人物の優先度よりも、入室希望者の優先度の方が低いと判断した場合は（Ｓ７でＹＥＳ）、当該入室希望者に対して部屋２００への入室を許可しない（Ｓ８）。
【００４０】
また、入退室管理部１３１は、部屋２００にいる各人物の中で、優先度が今回の入室希望者の優先度以下の者が存在すると判断した場合（Ｓ７でＮＯ）、部屋２００にいる各人物の中から、優先度が今回の入室希望者の優先度以下の者の中で優先度が最も低い人物を特定し（Ｓ９）、当該特定した人物に対して部屋２００からの退室要請をするための退室要請処理を実行する（Ｓ１０）。
【００４１】
この退室要請処理として、入退室管理部１３１は、例えば、通信部２４０を介して、部屋２００内に設置されているスピーカー１０１により、当該特定した人物に部屋２００からの退室を促すメッセージを発声させる制御を行う。或いは、入退室管理部１３１は、通信部２４０の有する電子メール発信機能により、当該特定した人物が所有する携帯端末装置に、部屋２００からの退室を促すメッセージを含む電子メールを送信する制御を行う。人物データ記憶部１４に、ＩＤ別に各電子メールアドレスが記憶されており、入退室管理部１３１が人物データ記憶部１４にアクセスして、当該特定した人物についてのＩＤに対応付けて記憶されている電子メールアドレスを読み出し、上記電子メール送信処理に用いる。
【００４２】
これにより、例えば、部屋２００内に人物検出部１３３によって検出可能な最大人数の人物が既に存在し、更に上位役職の社員が部屋２００に入室しようとする場合、入退室管理部１３１は、部屋２００内にいる下位役職の社員に対して、部屋２００からの退室を促す等が可能になる。
【００４３】
また、Ｓ８又はＳ１０の後、ＩＤカードリーダー装置１２が、部屋２００の内部側に設けられた機構により当該ＩＤカードのＩＣチップからＩＤ情報を読み取って、当該ＩＤ情報が退室希望者の情報としてＩＤカードリーダー装置１２からサーバー１３に送信されてきて、入退室管理部１３１が、当該ＩＤ情報が上記予め承認されたＩＤ情報の示す人物であると判断して退室を許可する場合、すなわち、部屋２００からの退室者があった場合は（Ｓ１１でＹＥＳ）、入退室管理部１３１が、部屋２００への入室が不許可とされた人物、又は退室を要請された人物が所有する携帯端末装置に対して、通信部２４０の有する電子メール発信機能により、部屋２００への入室が可能になった旨を示すメッセージを含む電子メールを送信する入室可能通知処理を行う（Ｓ１２）。なお、この場合も、人物データ記憶部１４に、ＩＤ別に各電子メールアドレスが記憶されており、入退室管理部１３１が人物データ記憶部１４にアクセスして、部屋２００への入室が不許可とされた人物、又は退室を要請された人物についてのＩＤに対応付けて記憶されている電子メールアドレスを読み出し、上記電子メール送信処理に用いるものとする。このようにＳ１１でＹＥＳとなる場合は、部屋２００への入室を許可している人物の数が、人物検出部１３３によって検出可能な上記最大人数を下回った状態となっている。
【００４４】
以上説明したように、本実施形態によると、部屋２００に居室可能な人物の数を、監視カメラ１１で検出可能な最大人数以下に保つことができ、部屋２００にいる人物を監視カメラ１１で確実に検出することが可能になる。
【００４５】
なお、本発明は上記実施の形態の構成に限られず種々の変形が可能である。図４は居室者監視システム１０による居室者監視処理の第２実施形態を示すフローチャートである。なお、第１実施形態と同様の処理については説明を省略する。
【００４６】
例えば、上記実施形態では、入退室管理部１３１は、各人物の役職に基づいて入室不許可又は退室要請の処理を行うが、無役職あるいは下位役職の社員であっても例えば緊急用件対応等のために、優先的に部屋２００に入室可能とする必要がある場合がある。このような場合のために、人物データ記憶部１４は、人物毎（ＩＤ毎）に、部屋２００での滞在が拒否されない人物か否かを示す滞在可否情報を記憶している。そして、図４に示すように、入退室管理部１３１は、部屋２００にいる全人物の優先度よりも、入室希望者の優先度の方が低いと判断した場合であっても（Ｓ７でＹＥＳ）、入室希望者について人物データ記憶部１４に、滞在が拒否されないことを示す滞在可否情報が記憶されている場合には（Ｓ１５でＹＥＳ）、当該入室希望者については、入室拒否又は退室要請をせず、部屋２００にいる各人物の中で優先度が今回の入室希望者の優先度以下の者の中で優先度が最も低い人物を特定し（Ｓ９）、当該特定した人物に対して部屋２００からの退室要請をするための退室要請処理を実行するようにしてもよい（Ｓ１０）。
【００４７】
これにより、無役職あるいは下位役職の社員であっても、事前に人物データ記憶部１４に、滞在が拒否されないことを示す滞在可否情報を記憶させておけば、緊急用件に対応が必要で当該社員が部屋２００内に立ち入る必要がある場合には、部屋２００内の人数が、人物検出部１３３によって検出可能な予め定められた上記最大人数に達しており、自分よりも役職が上位の人物ばかりであったとしても、当該社員が入室不許可又は退室要請の処理の対象とされないようにすることができる。
【００４８】
図５は居室者監視システム１０による居室者監視処理の第３実施形態を示すフローチャートである。なお、第３実施形態による処理は、第１及び第２実施形態における、部屋２００への入室が許可される処理（Ｓ４）の後に行われる。
【００４９】
例えば、Ｓ４で入室を許可された人物が、人物データ記憶部１４にＩＤ情報が記憶されていないゲスト（この者はＩＤ認証を行わずに部屋２００に入室する）を連れて部屋２００へ入室する場合がある。このようなゲストは、ＩＤ認証が行われていないため、その行動はより慎重に監視する必要がある。このため、入退室管理部１３１は、ある人物について部屋２００への入室を許可した後に（Ｓ４）、人物検出部１３３により検出された人物の数が、居室者検出部１３２によって検出された人物の数を上回った場合（Ｓ２１でＹＥＳ）、Ｓ２１で部屋２００への入室を許可した人物に対して、部屋２００に一緒に入室した者の監視を要請するための監視要請処理を実行する（Ｓ２２）。例えば、入退室管理部１３１は、監視要請処理として、Ｓ４で部屋２００への入室を許可した人物が所有する携帯端末装置に対して、通信部２４０の有する電子メール発信機能により、部屋２００に一緒に入室した者の監視を行うべき旨を示すメッセージを含む電子メールを送信する処理を行う。
【００５０】
この場合、当該ゲストの行動は慎重に監視する必要があることから、居室者検出部１３２は、部屋２００内に存在する人物の数を検出するとき、人物データ記憶部１４にＩＤ情報が記憶されていない上記ゲストについては、１人であっても、予め定められた２人以上の人数として加算してもよい。例えば、部屋２００に４台の監視カメラ１１があり、各監視カメラ１１によって最大５名の人物検出が可能であり、部屋２００内で最大２０名を各監視カメラ１１により検出可能であるものとする。このとき、例えば部屋２００内に１人のゲストが存在して、居室者検出部１３２が１人のゲストを２人として人数カウントすると、居室者検出部１３２が部屋２００内にいる人物の数が最大数の２０名に達したと検出しても、実際に部屋２００にいるのは１９名となる。このため、部屋２００内にゲストが存在する場合には、実際に部屋２００に居室している人数を少なくできる。これにより、複数の監視カメラ１１による能力に余裕を持たせて部屋２００内の人物を検出できるため、ゲストを含む部屋２００内の人物をより正確に検出して、セキュリティー度をより向上させることが可能になる。
【００５１】
また、更に他の実施形態として、居室者検出部１３２は、部屋２００への入室が許可されている人物に、役職が予め定められたレベル以上である人物が存在する場合、居室者検出部１３２は、部屋２００内に存在する人物の数を検出するとき、当該役職が予め定められたレベル以上である人物については人数を加算しないものとしてもよい。なお、居室者検出部１３２は、人物データ記憶部１４にアクセスして、部屋２００への入室が許可されている人物についての役職を取得する。入退室管理部１３１は、部屋２００内に存在する人物の人数については、このように役職が予め定められたレベル以上である人物を加算していない人数を用いて、人物検出部１３３によって検出可能な上記最大人数に達しているか否かを判断する。
【００５２】
また、上記実施形態では、部屋２００に複数の監視カメラ１１が設置されているとしたが、監視カメラ１１は１台であってもよい。
【００５３】
また、図１乃至図５を用いて上記実施形態により示した構成及び処理は、本発明の一実施形態に過ぎず、本発明を当該構成及び処理に限定する趣旨ではない。
【符号の説明】
【００５４】
１０      居室者監視システム
１００    制御ユニット
１３０    制御部
１３１    入退室管理部
１３２    居室者検出部
１３３    人物検出部
１０１    スピーカー
１０２    入室ゲート
１０３    表示装置
１１      監視カメラ
１２      カードリーダー装置
１３      サーバー
１４      人物データ記憶部
２００    部屋
【図１】
2019133436.tif 000003
【図２】
2019133436.tif 000004
【図３】
2019133436.tif 000005
【図４】
2019133436.tif 000006
【図５】
2019133436.tif 000007